(57)【要約】  本発明は、ケーブルに接続されにくく、シールド効果が不十分であるという従来のケーブルコネクタを解決する電磁両立性ケーブルロックコネクタを開示し、前記電磁両立性ケーブルロックコネクタは、コネクタ本体、コネクタキャップ、シールリング及びシールド部材を備え、前記コネクタ本体は、内側段差を内部に有する中心孔を有し、前記シールリングは、コネクタ本体の端部に接続され、且つシールリングと内側段差との間の部分が位置決め溝となり、前記コネクタキャップはシールリングに接続され、前記シールド部材は、上部リング、下部リング及び円弧状弾性シートを備え、前記円弧状弾性シートは、円周方向において複数枚均等に配列されており、それぞれの円弧状弾性シートは、上端が上部リングに成形され、下端が下部リングに成形され、円弧状弾性シートの中央部が上部リング又は下部リングの中心に向かって曲がり、前記シールド部材は中心孔内に設けられ、上部リングは位置決め溝に位置し、下部リングは中心孔の軸方向に沿って移動可能である。本発明は、ケーブルに簡便に差し込むことができ、シールド効果に優れるという効果がある。  【選択図】図１
2021516437.tif 000002
【特許請求の範囲】
【請求項１】
電磁両立性ケーブルロックコネクタであって、
コネクタ本体、コネクタキャップ、シールリング及びシールド部材を備え、
前記コネクタ本体は、内側段差を内部に有する中心孔を有し、
前記シールリングは、コネクタ本体の端部に接続され、シールリングと内側段差との間の部分が位置決め溝となり、
前記コネクタキャップは、シールリングに接続され、
前記シールド部材は、上部リング、下部リング及び円弧状弾性シートを備え、
前記円弧状弾性シートは、円周方向において複数枚均等に配列されており、それぞれの円弧状弾性シートは、上端が上部リングに成形され、下端が下部リングに成形され、円弧状弾性シートの中央部が上部リング又は下部リングの中心に向かって曲がり、前記シールド部材は、中心孔内に設けられ、上部リングは位置決め溝に位置し、下部リングは中心孔の軸方向に沿って移動可能である、ことを特徴とする電磁両立性ケーブルロックコネクタ。
【請求項２】
前記円弧状弾性シートの上端は、上部リングの上端に成形され、上部リングの成形部位とはアークをもって移行するように設けられる、ことを特徴とする請求項１に記載の電磁両立性ケーブルロックコネクタ。
【請求項３】
前記円弧状弾性シートの下端は、下部リングの下端に成形され、下部リングの成形部位とはアークをもって移行するように設けられる、ことを特徴とする請求項１に記載の電磁両立性ケーブルロックコネクタ。
【請求項４】
前記コネクタ本体の外側壁にはフランジを有し、前記コネクタ本体の側壁とフランジの接合部位には取り付け溝を有し、前記取り付け溝にシーリングリングが設けられている、ことを特徴とする請求項１に記載の電磁両立性ケーブルロックコネクタ。
【請求項５】
前記シールリングの外面は、段差状にされており、上部と下部に分けられ、前記上部が中心孔に螺合され、前記コネクタキャップが下部に螺合される、ことを特徴とする請求項１に記載の電磁両立性ケーブルロックコネクタ。
【請求項６】
コネクタキャップのコネクタ本体に向かう一端には、コネクタ本体の端部の面取りエッジが係合する環状溝を有する、ことを特徴とする請求項１に記載の電磁両立性ケーブルロックコネクタ。
【発明の詳細な説明】
【技術分野】
【０００１】
本発明は電磁両立性ケーブルロックコネクタに関する。
【背景技術】
【０００２】
現在、電磁両立性ケーブルロックコネクタは幅広く使用されており、ケーブルシールド層とジャンクションボックスが電磁両立性ケーブルコネクタを介して接続されると、電子機器はほかの機器に干渉しないとともに、ほかの機器からの影響を受けないようになる。電磁両立性ケーブルロックコネクタは、主に、ケーブルを接続・固定しながら、厳格に要求されている防水性、難燃性及び電磁両立性を確保するという機能を発揮し、長期間にわたってケーブル及び機器を安定的且つ効果的に保護する。
【０００３】
従来技術では、電磁両立性ケーブルロックコネクタの構成には、金属本体、金属コネクタキャップ、ナイロン製係止爪及び環状のシールドリングが含まれる。電磁両立性ケーブルロックコネクタとケーブルを接続するに当たって、シールド被覆層を除去されたケーブルをコネクタに差し込み、シールドリングを切り開かれたシールド層と細いワイヤーとの間に置いて接触嵌合させ、ナイロン製係止爪、金属本体及び金属コネクタキャップによりロックし、このようにして、電磁適合の効果を果たす。しかしながら、この構成には、多数の欠陥がある。
１、ケーブルに接続された銅端子を素早く通すことができないため、素早い接地が実現できない。
２、ケーブルをシールド可能に取り付けるのが困難であり、シールド性能が不良である。
３、取り付けるときに、シールド層を切り開く必要があるため、簡便性が不十分であり、時間や手間がかかる。
４、ナイロン製係止爪やケーブル絶縁層は、高温ではホットメルトが発生する。
５、接地面積が小さいので、干渉を効果的にシールドするという効果ができず、且つサージや高電圧絶縁破壊を防ぐことができない。
【発明の概要】
【発明が解決しようとする課題】
【０００４】
従来技術の欠陥に対して、本発明は、ケーブルに簡便に差し込むことができ、シールド効果に優れるという効果がある電磁両立性ケーブルロックコネクタを提供する。
【課題を解決するための手段】
【０００５】
上記目的を達成させるために、本発明は、下記技術案を提供する。
電磁両立性ケーブルロックコネクタは、コネクタ本体、コネクタキャップ、シールリング及びシールド部材を備え、前記コネクタ本体は、内側段差を内部に有する中心孔を有し、前記シールリングは、コネクタ本体の端部に接続され、シールリングと内側段差との間の部分が位置決め溝となり、前記コネクタキャップはシールリングに接続され、前記シールド部材は、上部リング、下部リング及び円弧状弾性シートを備え、前記円弧状弾性シートは、円周方向において複数枚均等に配列されており、それぞれの円弧状弾性シートは、上端が上部リングに成形され、下端が下部リングに成形され、円弧状弾性シートの中央部が上部リング又は下部リングの中心に向かって曲がり、前記シールド部材は中心孔に設けられ、上部リングは位置決め溝に位置し、下部リングは中心孔の軸方向に沿って移動可能である。
【０００６】
好ましくは、前記円弧状弾性シートの上端は、上部リングの上端に成形され、上部リングの成形部位とはアークをもって移行するように設けられる。
【０００７】
好ましくは、前記円弧状弾性シートの下端は、下部リングの下端に成形され、下部リングの成形部位とはアークをもって移行するように設けられる。
【０００８】
好ましくは、前記コネクタ本体の外側壁にはフランジを有し、前記コネクタ本体の側壁とフランジとの接合部位には取り付け溝を有し、前記取り付け溝にはシーリングリングが設けられている。
【０００９】
好ましくは、前記シールリングの外面は、段差状にされており、上部と下部に分けられ、前記上部が中心孔に螺合され、前記コネクタキャップが下部に螺合される。
【００１０】
好ましくは、コネクタキャップのコネクタ本体に向かう一端には、コネクタ本体の端部の面取りエッジが係合する環状溝を有する。
【発明の効果】
【００１１】
従来技術に比べて、本発明の利点は以下のとおりである。１、シール部材は、本発明がケーブルと組み立てられるときに、弾性シートが取り出せられることなく、ケーブルの端部に接続された端子を通過させるように構成されている。２、円弧状弾性シートを設けることで、接地面積が大きくなり、サージや高電圧絶縁破壊を防ぐ。３、簡便に取り付けることができ、直接差し込むことができ、時間や手間を節約し、シールド層を剥離する必要がないので、クリック接地が実現される。４、ケーブルを１回通すことにより、シールドとシールが実現され、それによって、取り付け作業の効率、効果、安全性や信頼性が高い。
【図面の簡単な説明】
【００１２】
【図１】本実施例による電磁両立性ケーブルロックコネクタの断面図である。
【図２】本実施例によるコネクタキャップの断面図である。
【発明を実施するための形態】
【００１３】
図１〜図２は、本発明の電磁両立性ケーブルロックコネクタをさらに説明する。
【００１４】
電磁両立性ケーブルロックコネクタは、コネクタ本体１、コネクタキャップ４、シールリング３、及びシールド部材５を備える。
前記コネクタ本体１は、中心孔１３を有し、つまり管状に設けられ、前記中心孔の内部には内側段差１３１を有し、前記シールリング３はコネクタ本体１の端部に接続され、シールリング３と内側段差との間の部分が位置決め溝６となる。つまり、前記シールリング３の外面は、段差状にされており、上部３２と下部３１に分けられ、前記上部３２が中心孔に螺合され、それによって、内側段差と上部３２の端壁との間の部分が位置決め溝６となり、下部３１の端壁がコネクタ本体１の端壁に当接する。前記コネクタキャップ４はシールリング３の下部３１に螺合される。
【００１５】
前記シールド部材５は、上部リング５１、下部リング５３、及び円弧状弾性シート５２を備え、前記円弧状弾性シート５２は、円周方向において複数枚均等に配列されており、本実施例では、円弧状弾性シート５２は６枚であり、それぞれの円弧状弾性シート５２は、上端が上部リング５１に成形され、下端が下部リング５３に成形され、円弧状弾性シート５２の中央部が上部リング５１又は下部リング５３の中心に向かって曲がり、前記シールド部材５は中心孔内に設けられ、上部リング５１は位置決め溝６に位置し、下部リング５３は中心孔の軸方向に沿って移動可能である。上部リング５１は、位置決め溝６に位置することにより、シールド部材５の一端を位置決めする役割を果たし、ケーブルがコネクタ本体１内に差し込まれるときにシールド部材５がコネクタ本体１から取り出せられるという問題を回避し、つまり、ケーブルの繰り返し差し込み操作を可能にする。また、下部リング５３は中心孔内を移動することができ、円弧状弾性シート５２は、ケーブルにより押さえられると変形し、下部リング５３が上部リング５１と反対して移動し、それにより、ケーブルを効果的に差し込むことや、６枚の円弧状弾性シート５２によりケーブルを効果的に押さえて固定することが実現される。一方、位置決め溝がコネクタ本体とシールリングからなるため、シールリングがコネクタ本体から取り外されると、シールド部材を簡便に取り出すことができる。
【００１６】
さらに、前記円弧状弾性シート５２の上端は、上部リング５１の上端に成形され、上部リング５１の成形部とはアークをもって移行するように設けられる。アークをもって移行するように設けられることにより、シールリング３を保護する役割を果たし、シールリング３の摩損を避ける。
【００１７】
さらに、前記円弧状弾性シート５２の下端は、下部リング５３の下端に成形され、下部リング５３の成形とはアークをもって移行するように設けられる。アークをもって移行することは、ケーブルの差し込みを円滑にする。
【００１８】
さらに、前記コネクタ本体１の外側壁にはフランジ１１を有し、前記コネクタ本体１の側壁とフランジ１１との接合部位には取り付け溝１２を有し、前記取り付け溝１２内にはシーリングリング２が設けられている。このような構成により、コネクタ本体１と金属ケースが接続されたときの防水効果が高まる。
【００１９】
さらに、コネクタキャップ４のコネクタ本体１に向かう一端にはコネクタ本体１の端部の面取りエッジが係合する環状溝４１を有する。このような構成により、コネクタ本体１とコネクタキャップ４との間の防水効果が高まり、本発明の内部への水浸入の確率が大幅に低下する。
【００２０】
以上は本発明の好適な実施形態に過ぎず、本発明の特許範囲は上記実施例に制限されず、本発明の構想に属する技術案であれば、本発明の特許範囲に属する。なお、当業者であれば、本発明の原理から逸脱せずにいくつかの改良や修飾を行うことができ、これら改良や修飾も本発明の特許範囲であると見なされるべきである。
【図１】
2021516437.tif 000003
【図２】
2021516437.tif 000004
【国際調査報告】
2021516437.tif 000005
2021516437.tif 000006
2021516437.tif 000007
2021516437.tif 000008
2021516437.tif 000009